【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
移動可能な光導電性の像担持体と、前記像担持体を均一に帯電する帯電手段と、帯電後の前記像担持体の表面を露光して静電潜像を形成する露光手段と、前記静電潜像にトナーを付着させてトナー像を形成する現像手段と、一次転写電圧を一次転写部材に印加することで前記像担持体の表面のトナー像を中間転写体に移動させる一次転写手段と、二次転写電圧を二次転写部材に印加することで前記中間転写体の表面のトナー像を記録材に移動させる二次転写手段と、を有した画像形成装置において、
前記露光手段は露光強度を複数に調整可能で、少なくとも二次色文字・ラインを形成する際、像担持体から中間転写体に移動される一色目の文字・ラインについて、エッジ部のトナー高さは、エッジ部以外のトナー高さより高くなるようにし、かつ像担持体から中間転写体に移動される二色目の文字・ラインについて、エッジ部のトナー高さは、エッジ部以外のトナー高さよりも低くなるように、前記露光手段で露光強度を切り換えて露光することにより、前記中間転写体の表面に二次色文字・ラインを形成することを特徴とする画像形成装置。
【請求項２】
移動可能な光導電性の像担持体と、前記像担持体を均一に帯電する帯電手段と、帯電後の前記像担持体の表面を露光して静電潜像を形成する露光手段と、前記静電潜像にトナーを付着させてトナー像を形成する現像手段と、記録材を転写部に担持搬送する記録材担持体と、転写電圧を転写部材に印加することで前記記録材に前記トナー像を転写する転写手段と、を有した画像形成装置において、
前記露光手段は露光強度を複数に調整可能で、少なくとも二次色文字・ラインを形成する際、像担持体から記録材に移動される一色目の文字・ラインについて、エッジ部のトナー高さは、エッジ部以外のトナー高さより高くなるようにし、かつ像担持体から記録材に移動される二色目の文字・ラインについて、エッジ部のトナー高さは、エッジ部以外のトナー高さよりも低くなるように、前記露光手段で露光強度を切り換えて露光することにより、前記記録材担持体で担持搬送される前記記録材に二次色文字・ラインを形成することを特徴とする画像形成装置。
【請求項３】
前記露光手段は、Ｌ１、Ｌ２、Ｌ３（Ｌ１＞Ｌ２＞Ｌ３）の露光強度に調整可能であり、文字・ラインの画像形成を行なう時は、前記露光手段は、一色目の文字・ラインのエッジ部ではＬ１の露光強度で、かつ二色目の文字・ラインのエッジ部ではＬ３の露光強度で露光し、文字・ライン以外の画像形成を行なう時は、前記露光手段は、Ｌ２の露光強度で露光することを特徴とする請求項１又は２に記載の画像形成装置。
【請求項４】
前記露光強度は、
Ｌ１の露光強度で露光された像担持体の領域を現像した時のトナー量をＤ１、
Ｌ２の露光強度で露光された像担持体の領域を現像した時のトナー量をＤ２、
Ｌ３の露光強度で露光された像担持体の領域を現像した時のトナー量をＤ３、とした時、
（Ｄ１＋Ｄ３）／２＝Ｄ２
となるように、Ｌ１、Ｌ２、Ｌ３が設定されていることを特徴とする請求項３に記載の画像形成装置。
【請求項５】
二次色の文字・ラインを形成した際に、文字・ラインのエッジ部の単位面積あたりのトナー量と、文字・ラインのエッジ部以外の単位面積あたりのトナー量とが同じになるように、露光手段は露光を行なうことを特徴とする請求項１乃至４のいずれかに記載の画像形成装置。
【手続補正２】
【補正対象書類名】明細書
【補正対象項目名】００１５
【補正方法】変更
【補正の内容】
【００１５】
上記の目的を達成するための本発明に係る画像形成装置の代表的な構成は、移動可能な光導電性の像担持体と、前記像担持体を均一に帯電する帯電手段と、帯電後の前記像担持体の表面を露光して静電潜像を形成する露光手段と、前記静電潜像にトナーを付着させてトナー像を形成する現像手段と、一次転写電圧を一次転写部材に印加することで前記像担持体の表面のトナー像を中間転写体に移動させる一次転写手段と、二次転写電圧を二次転写部材に印加することで前記中間転写体の表面のトナー像を記録材に移動させる二次転写手段と、を有した画像形成装置において、前記露光手段は露光強度を複数に調整可能で、少なくとも二次色文字・ラインを形成する際、像担持体から中間転写体に移動される一色目の文字・ラインについて、エッジ部のトナー高さは、エッジ部以外のトナー高さより高くなるようにし、かつ像担持体から中間転写体に移動される二色目の文字・ラインについて、エッジ部のトナー高さは、エッジ部以外のトナー高さよりも低くなるように、前記露光手段で露光強度を切り換えて露光することにより、前記中間転写体の表面に二次色文字・ラインを形成することを特徴とする。
【手続補正３】
【補正対象書類名】明細書
【補正対象項目名】００１６
【補正方法】変更
【補正の内容】
【００１６】
上記の目的を達成するための本発明に係る画像形成装置の他の代表的な構成は、移動可能な光導電性の像担持体と、前記像担持体を均一に帯電する帯電手段と、帯電後の前記像担持体の表面を露光して静電潜像を形成する露光手段と、前記静電潜像にトナーを付着させてトナー像を形成する現像手段と、記録材を転写部に担持搬送する記録材担持体と、転写電圧を転写部材に印加することで前記記録材に前記トナー像を転写する転写手段と、を有した画像形成装置において、前記露光手段は露光強度を複数に調整可能で、少なくとも二次色文字・ラインを形成する際、像担持体から記録材に移動される一色目の文字・ラインについて、エッジ部のトナー高さは、エッジ部以外のトナー高さより高くなるようにし、かつ像担持体から記録材に移動される二色目の文字・ラインについて、エッジ部のトナー高さは、エッジ部以外のトナー高さよりも低くなるように、前記露光手段で露光強度を切り換えて露光することにより、前記記録材担持体で担持搬送される前記記録材に二次色文字・ラインを形成することを特徴とする。
【手続補正４】
【補正対象書類名】明細書
【補正対象項目名】００８４
【補正方法】変更
【補正の内容】
【００８４】
＜実施例１＞
本実施例においては、露光手段であるレーザ走査露光装置３は、均一に帯電した感光ドラム１の表面を、露光して静電潜像を形成する。レーザ走査露光装置３は、複数の露光強度に調整可能で、露光制御手段である発光信号発生器３３により制御される。そして、少なくとも二次色文字・ラインを形成する際、感光ドラム１から中間転写ベルト５１に移動される一色目の文字・ラインについて、エッジ部のトナー高さは、エッジ部以外のトナー高さより高くなるようにし、かつ感光ドラム１から中間転写ベルト５１に移動される二色目の文字・ラインについて、エッジ部のトナー高さは、エッジ部以外のトナー高さよりも低くなるように、レーザ走査露光装置３で露光強度（レーザ露光光量）を切り換えて露光する。即ち、少なくとも二次色文字・ラインを形成する部分で、中間転写ベルト５１上における、下層文字・ラインの端部のトナー量を増やし、上層文字・ラインの端部のトナー量を減らすようにレーザーの露光強度を制御する。これにより二次色の文字・ラインの濃度を下げることなく、飛び散りを抑制して、中間転写ベルト５１の表面に二次色文字・ラインを形成する。
【手続補正５】
【補正対象書類名】明細書
【補正対象項目名】００９４
【補正方法】変更
【補正の内容】
【００９４】
そして、少なくとも二次色文字・ラインを形成する際、感光ドラム１から中間転写ベルト５１に移動される一色目の文字・ラインについて、エッジ部のトナー高さは、エッジ部以外のトナー高さより高くなるようにし、かつ感光ドラム１から中間転写ベルト５１に移動される二色目の文字・ラインについて、エッジ部のトナー高さは、エッジ部以外のトナー高さよりも低くなるように、レーザ走査露光装置３で露光強度を切り換えて露光する。これにより、中間転写ベルト５１の表面に二次色文字・ラインを形成する。